(57)【要約】【課題】  ユーザーには担当する広告主からのクリック補償として広告料を得ることができると共に、広告主に対しては希望する広告の対象者層からの閲覧を集中して受け、希望対象者に広告商品を広く知ってもらうことができるインターネット広告閲覧方法及びシステムを提供する。【解決手段】  広告主から広告掲載の依頼を受け、その対価として広告料を受けとるユーザーは、広告閲覧サーバ１のウェブサイトにアクセスし、ＵＲＬテーブルにてユーザー毎に予め定められた順位で他のユーザーのサイトページとバナー広告を表示させ、当該バナーのクリックにより他のユーザーが担当する広告主の広告ページを表示させる判自動閲覧プログラムを動作させて閲覧することで、他のユーザーからも担当広告主の広告を閲覧される広告閲覧方法及び広告閲覧システムである。【選択図】        図１
2006202189.tif 000002
【特許請求の範囲】
【請求項１】
広告主の広告ページをユーザーに提供するインターネット広告閲覧方法であって、
広告閲覧サーバが、ユーザー端末から当該広告閲覧サーバのウェブサイトにアクセスされると、アクセスしたユーザーが属する特定グループ内において他のユーザーが担当する広告主の広告ページに当該他のユーザーのサイトページを介してアクセスし、アクセスした広告主の広告ページを前記ユーザー端末に表示出力することを特徴とする広告閲覧方法。
【請求項２】
広告主の広告ページをユーザーに提供するインターネット広告閲覧方法であって、
広告閲覧サーバが、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーを前記ユーザー端末からクリックされると、当該他のユーザーが担当する広告主の広告ページにアクセスして前記ユーザー端末に表示出力することを特徴とする広告閲覧方法。
【請求項３】
特定グループ内の他のユーザーについては、アクセスしたユーザー毎に予め順位が決められており、当該順位に従って担当する広告主の広告ページにアクセスすることを特徴とする請求項１又は２記載の広告閲覧方法。
【請求項４】
広告主の広告ページをユーザーに提供する広告閲覧サーバを有するインターネット広告閲覧システムであって、
前記広告閲覧サーバは、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーを前記ユーザー端末からクリックされると、当該他のユーザーが担当する広告主の広告ページにアクセスして前記ユーザー端末に表示出力するサーバであることを特徴とする広告閲覧システム。
【請求項５】
広告主と担当のユーザーとを対応付け、広告主の広告ページにアクセスする情報と、ユーザーのサイトページにアクセスする情報とを、予め定められたユーザーの順位で記憶するアクセス情報テーブルを備え、
広告閲覧サーバが、当該テーブルを参照し、特定グループ内において他のユーザーのサイトページを前記ユーザーの順位でアクセスすることを特徴とする請求項４記載の広告閲覧システム。
【請求項６】
閲覧の履歴を記憶する閲覧履歴テーブルを備え、
広告閲覧サーバが、ユーザー端末における閲覧の中断があれば、前記閲覧履歴テーブルに記録し、前記ユーザー端末における閲覧の再開があれば、前記閲覧履歴テーブルを参照し、閲覧を終了したユーザーを特定し、当該ユーザーの次の順位となるユーザーについてアクセス情報テーブルを参照し、前記次に順位となるユーザーのサイトページにアクセスすることを特徴とする請求項５記載の広告閲覧システム。
【請求項７】
広告閲覧サーバが、広告主の要求に応じてユーザーの特性を分類し、当該分類されたユーザーを特定グループ内に所属させ、当該ユーザーのサイトページにアクセスする情報及び広告主の広告ページにアクセスする情報をユーザーの順位を定めてアクセス情報テーブルに設定して、ユーザー端末に広告を提供することを特徴とする請求項５又は６記載の広告閲覧システム。
【請求項８】
ユーザーの特性として、郵便番号、性別、結婚の有無、職業、年齢若しくはこれらの組み合わせによる分類でグループ分けを行うことを特徴とする請求項７記載の広告閲覧システム。
【発明の詳細な説明】
【技術分野】
【０００１】
本発明は、インターネット上の広告を閲覧するための方法及びシステムに係り、特に、会員となった利用者が相互に広告を閲覧するのを支援するためのインターネット広告閲覧方法及びシステムに関する。
【背景技術】
【０００２】
インターネットの普及により、インターネット上の広告の重要性が増している。広告主としては、できるだけ多くの訪問者に閲覧してもらうために種々工夫をしているところである。
また、ホームページの運営者は、自己のホームページに広告主の広告を掲載して、当該ホームページの訪問者が広告主の広告をクリックすると、クリック回数に応じて広告主がホームページの運営者に広告料を支払うクリック保障がある。
また、ホームページの運営者に広告主が販売数に応じて広告料を支払うアフィリエイトプログラムがある。
【０００３】
また、インターネットで会員として登録し、他の会員のホームページを閲覧することで、他の会員が本人のオームページを閲覧し合うというトラフィック・エクスチェンジというのがある。
このトラフィック・エクスチェンジは、ホームページを閲覧し合うという約束を履行するもので、運営するサイトによっては、閲覧の状況に応じてポイントを付与するところがある。
【０００４】
尚、ホームページ上に広告を掲載する先行技術は、平成１４年（２００２）２月２８日公開の特開２００２−６３４７３「ホームページ上に展開できる宣伝の広告方法」（出願人：ヨンイチキュー株式会社、発明者：田口伊智郎他）がある。
この先行技術は、インターネットを介して閲覧されるホームページを利用した広告方法に関し、自己の広告を相手のホームページに掲載することを希望する者同士が、自己のホームページ上に他の加入者の広告を掲載する欄と他の加入者から広告掲載要求を受け付ける欄とを表示してインターネット閲覧可能とし、一の加入者が他の加入者のホームページにアクセスし、広告掲載の請求を受け付ける欄を選択したとき、一の加入者の広告を他の加入者のホームページ広告欄に掲載すると共に、他の加入者の広告を一の加入者のホームページ広告欄に掲載するものである（特許文献１参照）。
【０００５】
また、別の先行技術として平成１５（２００３）年２月１４日公開の特開２００３−４４７３「電子広告に関する情報の管理方法およびそのシステム」（出願人：キヤノン株式会社、発明者：山田財士）がある。
この先行技術は、管理サーバは、クライアント端末が広告主の要求達成に応じて、バナー広告を掲載したＷｅｂページの開設者のみでなく、この開設者公開Ｗｅｂページの閲覧者に対しても、サービスポイント数を積算し、広告主に対しては電子広告情報管理システムにおいて電子広告掲載に掛かった費用の一部として請求するサービスポイント数に応じた金額を算繻子するシステムとなっている（特許文献２参照）。
【０００６】
【特許文献１】特開２００２−６３４７３号公報
【特許文献２】特開２００３−４４７３１号公報
【発明の開示】
【発明が解決しようとする課題】
【０００７】
しかしながら、従来のインターネット広告に関する技術では、例えば、ホームページの運営者に広告主が販売数に応じて広告料を支払うアフィリエイトでは、運営者のサイトが人気になれば、広告への閲覧数が増えるかもしれないが、販売数が増えるか否かは、閲覧者次第であり、ホームページの運営者が確実に広告料を稼げるものとはなっていなかった。
【０００８】
また、ホームページの運営者に広告主が閲覧数に応じて広告料を支払うクリック保障では、運営者のサイトが人気になれば、バナー広告の表示回数が増えるかもしれないが、広告主のサイトの閲覧数が増えるか否かは、閲覧者次第であり、多くの人が確実に広告主の広告を閲覧するものとはなっていなかった。
【０００９】
また、トラフィック・エクスチェンジの技術は、会員同士の約束事であるため、会員に対する強制力はなく、他の会員のホームページを閲覧しなかったために、本人が不利益を受けるということはなく、特に、広告主からすると、会員のホームページではなく、そこに掲載された広告主の広告を閲覧してもらうことが重要であり、会員のホームページが閲覧されても広告主の広告までクリックされるとは限らず、インターネット広告を多くの人に閲覧して広告商品を知ってもらうための技術とはなっていないとの問題点があった。
【００１０】
本発明は上記実情に鑑みて為されたもので、会員（ユーザー）には担当する広告主からのクリック補償として広告料を得ることができると共に、広告主に対しては希望する広告の対象者層からの閲覧を集中して受け、希望対象者に広告商品を広く知ってもらうことができるインターネット広告閲覧方法及びシステムを提供することを目的とする。
【００１１】
更に、本発明の別の目的は、広告主には比較的易い広告料金で会員に確実に閲覧してもらうことができるインターネット広告閲覧方法及びシステムを提供するものである。
【００１２】
また、本発明の別の目的は、会員の属性に従い、広告主は、地域限定の広告を比較的易い広告料金で出すことができるインターネット広告閲覧方法及びシステムを提供するものである。
【課題を解決するための手段】
【００１３】
上記従来例の問題点を解決するための本発明は、広告主の広告ページをユーザーに提供するインターネット広告閲覧方法であって、広告閲覧サーバが、ユーザー端末から当該広告閲覧サーバのウェブサイトにアクセスされると、アクセスしたユーザーが属する特定グループ内において他のユーザーが担当する広告主の広告ページに当該他のユーザーのサイトページを介してアクセスし、アクセスした広告主の広告ページをユーザー端末に表示出力することを特徴とする。
【００１４】
本発明は、広告主の広告ページをユーザーに提供するインターネット広告閲覧方法であって、広告閲覧サーバが、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーをユーザー端末からクリックされると、当該他のユーザーが担当する広告主の広告ページにアクセスしてユーザー端末に表示出力することを特徴とする。
【００１５】
本発明は、広告主の広告ページをユーザーに提供する広告閲覧サーバを有するインターネット広告閲覧システムであって、広告閲覧サーバが、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーをユーザー端末からクリックされると、当該他のユーザーが担当する広告主の広告ページにアクセスしてユーザー端末に表示出力するサーバであることを特徴とする。
【００１６】
本発明は、上記広告閲覧システムにおいて、広告主と担当のユーザーとを対応付け、広告主の広告ページにアクセスする情報と、ユーザーのサイトページにアクセスする情報とを、予め定められたユーザーの順位で記憶するアクセス情報テーブルを備え、広告閲覧サーバが、当該テーブルを参照し、特定グループ内において他のユーザーのサイトページにユーザーの順位でアクセスすることを特徴とする。
【００１７】
本発明は、上記広告閲覧システムにおいて、閲覧の履歴を記憶する閲覧履歴テーブルを備え、広告閲覧サーバが、ユーザー端末における閲覧の中断があれば、閲覧履歴テーブルに記録し、ユーザー端末における閲覧の再開があれば、閲覧履歴テーブルを参照し、閲覧を終了したユーザーを特定し、当該ユーザーの次の順位となるユーザーについてアクセス情報テーブルを参照し、次に順位となるユーザーのサイトページにアクセスすることを特徴とする。
【００１８】
本発明は、上記広告閲覧システムにおいて、広告閲覧サーバが、広告主の要求に応じてユーザーの特性を分類し、当該分類されたユーザーを特定グループ内に所属させ、当該ユーザーのサイトページにアクセスする情報及び広告主の広告ページにアクセスする情報をユーザーの順位を定めてアクセス情報テーブルに設定して、ユーザー端末に広告を提供することを特徴とする。
【００１９】
本発明は、上記広告閲覧システムにおいて、ユーザーの特性として、郵便番号、性別、結婚の有無、職業、年齢若しくはこれらの組み合わせによる分類でグループ分けを行うことを特徴とする。
【発明の効果】
【００２０】
本発明によれば、広告主の広告ページをユーザーに提供するインターネット広告閲覧方法であって、広告閲覧サーバが、ユーザー端末から当該広告閲覧サーバのウェブサイトにアクセスされると、アクセスしたユーザーが属する特定グループ内において他のユーザーが担当する広告主の広告ページに当該他のユーザーのサイトページを介してアクセスし、アクセスした広告主の広告ページをユーザー端末に表示出力する広告閲覧方法としているので、どのユーザーのサイトから広告主の広告ページにアクセスがあったかを識別でき、更に広告主の広告を広く知らしめることができる効果がある。
【００２１】
本発明によれば、広告主の広告ページをユーザーに提供するインターネット広告閲覧方法であって、広告閲覧サーバが、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーをユーザー端末からクリックされると、当該他のユーザーが担当する広告主の広告ページにアクセスしてユーザー端末に表示出力する広告閲覧方法としているので、どのユーザーのサイトから広告主の広告ページにアクセスがあったかを識別でき、更に広告主の広告を広く知らしめることができる効果がある。
【００２２】
本発明によれば、広告主の広告ページをユーザーに提供する広告閲覧サーバを有するインターネット広告閲覧システムであって、広告閲覧サーバが、ユーザー端末から当該広告閲覧サーバのウェブサイトにアクセスされると、アクセスしたユーザーが属する特定グループ内において他のユーザーのサイトページにアクセスし、当該サイトページに貼られた特定のバナーをユーザー端末からクリックされると、当該他のユーザーが担当する広告主の広告ページにアクセスしてユーザー端末に表示出力するサーバである広告閲覧システムとしているので、どのユーザーのサイトから広告主の広告ページにアクセスがあったかを識別でき、更に広告主の広告を広く知らしめることができる効果がある。
【００２３】
本発明によれば、広告主と担当のユーザーとを対応付け、広告主の広告ページにアクセスする情報と、ユーザーのサイトページにアクセスする情報とを、予め定められたユーザーの順位で記憶するアクセス情報テーブルを備え、広告閲覧サーバが、当該テーブルを参照し、特定グループ内において他のユーザーのサイトページにユーザーの順位でアクセスする上記広告閲覧システムとしているので、ユーザーにおいて広告の閲覧を容易に行うことができる効果がある。
【００２４】
本発明によれば、閲覧の履歴を記憶する閲覧履歴テーブルを備え、広告閲覧サーバが、ユーザー端末における閲覧の中断があれば、閲覧履歴テーブルに記録し、ユーザー端末における閲覧の再開があれば、閲覧履歴テーブルを参照し、閲覧を終了したユーザーを特定し、当該ユーザーの次の順位となるユーザーについてアクセス情報テーブルを参照し、次に順位となるユーザーのサイトページにアクセスする上記広告閲覧システムとしているので、ユーザーは広告閲覧の中断と再開を容易に行うことができる効果がある。
【００２５】
本発明によれば、広告閲覧サーバが、広告主の要求に応じてユーザーの特性を分類し、当該分類されたユーザーを特定グループ内に所属させ、当該ユーザーのサイトページにアクセスする情報及び広告主の広告ページにアクセスする情報をユーザーの順位を定めてアクセス情報テーブルに設定して、ユーザー端末に広告を提供する上記広告閲覧システムとしているので、広告主の要求に応じて閲覧者のグループ分けを容易に行うことができ、広告の閲覧を効果的に行うことができる効果がある。
本発明によれば、ユーザーの特性として、郵便番号、性別、結婚の有無、職業、年齢若しくはこれらの組み合わせによる分類でグループ分けを行う上記広告閲覧システムとしているので、地域に合った広告閲覧を行うことができる効果がある。
【発明を実施するための最良の形態】
【００２６】
本発明の実施の形態について図面を参照しながら説明する。
［発明の概要］
本発明の一実施の形態に係るインターネット広告閲覧システムは、広告主（スポンサー）から広告掲載の依頼を受け、その対価として広告料を受けとる会員（ユーザー）は、広告閲覧のウェブサイトにアクセスし、そこで、予め定められた順番で他の会員のページとバナー広告を表示させ、当該バナーのクリックにより他の会員が担当する広告主の広告ページを表示させる判自動閲覧プログラムを動作させて閲覧することで、他の会員からも担当広告主の広告を閲覧されるものであり、広告主の広告を広く知らしめることができるものである。
【００２７】
また、本発明の一実施の形態に係るインターネット広告閲覧システムは、広告主からの要求により、閲覧対象者のグループを特定期間編成して半自動閲覧プログラムを動作させて閲覧するようにしているので、広告主としては期待した効果を得ることができるものである。
【００２８】
［インターネット広告閲覧システムの概略］
本発明の一実施の形態に係るインターネット広告閲覧システムについて図１を参照しながら説明する。図１は、本発明の一実施の形態に係るインターネット広告閲覧システムの構成ブロック図である。
本発明の一実施の形態に係るインターネット広告閲覧システム（本システム）は、図１に示すように、広告閲覧用のサイトとなる広告閲覧サーバ１と、広告閲覧に用いられるデータを記憶するデータベース（ＤＢ）２と、自己のホームページを開催する一次ユーザーのコンピュータ（一次ユーザーＰＣ）３と、自己のホームページを持たない二次ユーザーのコンピュータ（二次ユーザーＰＣ）４と、広告主（スポンサー）の広告に関するデータを格納する広告主サーバ５とを基本的に有している。
尚、一次ユーザーＰＣ３、二次ユーザーＰＣ４、広告主サーバ５は、複数存在するもので、インターネットを介して、それぞれが接続するようになっている。
【００２９】
［インターネット広告閲覧システムの各部］
本システムの各部について具体的に説明する。
［広告閲覧サーバ１］
広告閲覧サーバ１は、一次ユーザー、二次ユーザーに対して各ユーザーのホームページを介して広告主の広告ページを閲覧させることを容易とするコンピュータから成るサーバである。広告閲覧サーバ２の構成及び処理動作については後述する。
【００３０】
［データベース２］
データベース（ＤＢ）２は、広告閲覧サーバ１からアクセス可能な記憶装置であり、ユーザー関連の情報を記憶するユーザーデータベース（ＤＢ）２ａと、閲覧関連の情報を記憶する閲覧関連データベース（ＤＢ）２ｂと、広告主の情報を記憶する広告主データベース（ＤＢ）２ｃとを備えている。
各ＤＢにおいてデータを記憶するテーブル等については後述する。
【００３１】
［一次ユーザーＰＣ３］
一次ユーザーＰＣ３は、自己のホームページを開設するユーザーのパーソナルコンピュータ（ＰＣ）等によるインターネット接続可能な端末装置である。
一次ユーザーＰＣ３は、広告閲覧サーバ１を介して広告主サーバ５に掲載される広告主の広告データにアクセスして当該広告を閲覧するものである。
【００３２】
［二次ユーザーＰＣ４］
二次ユーザーＰＣ４は、自己のホームページを開設せず、本システムの運用者が仮に開設したホームページが付与されたユーザーのパーソナルコンピュータ（ＰＣ）等によるインターネット接続可能な端末装置である。
二次ユーザーＰＣ４は、広告閲覧サーバ１を介して広告主サーバ５に掲載される広告主の広告データにアクセスして当該広告を閲覧するものである。
【００３３】
［広告主サーバ５］
広告主サーバ５は、一次ユーザーＰＣ３、二次ユーザーＰＣ４が広告閲覧サーバ１を介して閲覧する広告データが掲載されたウェブサーバである。当該広告主サーバ５は、コンピュータによって実現される。
尚、広告の閲覧は、広告主サーバ５のＵＲＬ（Uniform Resource Locator）によってアクセスして、広告ページをユーザーＰＣに表示することで為される。
【００３４】
［第１フェーズ〜第３フェース］
次に、本発明の内容の理解を助けるために、本システムが適用される３つの段階（第１フェーズ〜第３フェース）について説明しておく。
［第１フェーズ］
既に広告主と契約をし、自己のホームページに広告主の広告バナーを掲載し、広告主の広告バナーへの訪問者のクリック回数に応じて広告料の支払を受ける一次ユーザーが、本システムの広告閲覧サーバ１に登録する。
尚、一次ユーザーとしては、広告料の受取額は確実なものではないが、アフィリエイト契約のユーザーであってもよい。
【００３５】
一次ユーザーは、本システムに登録されたユーザーの中で、特定グループ内の他のユーザーが開設するホームページに掲載された他の広告主の広告ページを全て閲覧するために、広告閲覧サーバ１のウェブサイトに用意された当該一次ユーザー用の半自動閲覧プログラムを動作させて、閲覧順に設定された当月ＵＲＬテーブル（後述する）を参照して広告主の広告ページを順次閲覧するものである。
【００３６】
尚、後述する二次ユーザーの場合は、一人のユーザーは一人（一企業）の広告主を担当しており、特定グループ内では、広告主が重複しないよう調整されているが、一次ユーザーの場合は、広告主としてはどこのサイトからクリックされたかが重要であるため、広告主が重複しても構わないようになっている。
【００３７】
そして、一次ユーザーは、広告閲覧サーバ１のウェブサイトで半自動閲覧プログラムを動作させて、他のユーザーのホームページとそのユーザーのホームページに掲載された広告主の広告ページのみを特定時間以上の時間を掛けて、特定期間（例えば１ヶ月）以内で全て閲覧していくものである。
【００３８】
一次ユーザーは、特定期間内に他のユーザーに対応する広告ページ全てを閲覧すると、次の特定期間（次の１ヶ月）は、当該ユーザー及びそれに対応する広告主の広告ページのＵＲＬが閲覧対象となる翌月ＵＲＬテーブル（後述する）に設定されることになり、翌月、当該ユーザーのホームページと広告主の広告ページを他のユーザーが閲覧してくれることになる。
【００３９】
第１フェーズにおける一次ユーザーの収入源は、対応する広告主からの広告料となり、この広告料は、他のユーザーが閲覧してくれたことによるものである。
また、各ユーザーのホームページでは本システムの内容を宣伝してもらい、加入者を増やしていく。
【００４０】
半自動閲覧プログラムは、当月ＵＲＬテーブルを参照し、ユーザーのサイトを経由して対応する広告主の広告ページを順次表示するもので、特定時間（例えば３０秒）表示したら、「次」（「閲覧開始」）のボタンがクリック可能となり、クリックによって次の閲覧ユーザーのホームページを表示し、当該閲覧ユーザーの担当する広告主の広告ページが対応する閲覧ユーザーのサイトを経由して表示可能となる。
【００４１】
尚、当該プログラムは、閲覧の途中で作業を中断した場合には、中断したユーザーＮｏ．を当月閲覧履歴テーブル（後述する）に記憶し、中断した閲覧作業を再開する場合には、当該ユーザーＮｏ．の次のＮｏ．から閲覧を開始するようになっており、ユーザーの閲覧の利便性を向上させるものである。
尚、当該プログラムの処理については後述する。
【００４２】
尚、ユーザー数が増えた（例えば５００人以上となった）場合には、ユーザーグループを分けて（２５０人の２グループ）、ユーザーの閲覧の負荷を軽減し、広告主の募集枠を増やすようにしている。
【００４３】
［第２フェーズ］
本システムの運営主体が広告主と自己のホームページを持たないユーザー（二次ユーザー）を結び付けるのが第２フェーズである。システム構成及び運用内容は第１フェーズと同じであり、二次ユーザーが自己のホームページを持たないこと、広告主を運営主体が募集する点で相違する。
【００４４】
二次ユーザーは、広告主の要求により特定の条件（性別、年齢等）を満たすユーザーを運営主体が選択する。
二次ユーザーは、自己のホームページを持たないが、他のメンバーが担当広告主のページを閲覧するに経由するサイトを運営主体から付与されて持つことになる。
尚、二次ユーザーと広告主とは、１：１に対応しており、広告主が見つかれば、見つかった分だけ二次ユーザーを募集できることになる。
【００４５】
ここで、注目すべき点は、一人のユーザーは一人（一企業）の広告主を担当しており、特定グループ内では、広告主が重複しないよう、二次ユーザーの本システムへの登録段階で調整される。
これは、同じグループ内で、重複する広告主が複数いれば、グループ内のユーザーが、他のユーザーが担当する広告主の広告を閲覧するとなると、同じユーザーが何度も同じ広告主の広告を閲覧することになり、多くの人に広く広告を知らしめる趣旨に反するからである。
【００４６】
また、第２フェーズでは、スポンサーの要求に応じて、ユーザー情報（性別、年齢等）により月単位でグループを組み替えることが可能であり、組み替えられた内容は、翌月ＵＲＬテーブルに設定される。
尚、長い期間継続して閲覧の実績を残す優良二次ユーザーと継続して広告を出す優良広告主とを組み替えることも第２フェーズでは可能である。また、不良二次ユーザー（閲覧を予定通りに行うことができない二次ユーザー）から広告主を取り上げて別の二次ユーザーの担当とすることも可能である。
【００４７】
［第３フェーズ］
第３フェーズは、地域に根付いた広告網を整備し、広告発信先をユーザーの郵便番号でグルーピングして限定することで、地域の中小企業が安価で無駄なく広告を出せるようにするものである。
【００４８】
システム運営主体が、地域広告主に代わってユーザー登録情報に基づきダイレクトメール（ＤＭ）の発送を代行するサービスを行う。本システムの利用ユーザーは本サイトにログインする際に、Ｗｅｂメールを確認するようにするため、ＤＭが有効である。
【００４９】
［広告閲覧サーバ１の構成］
次に、広告閲覧サーバ１の構成について図１８を用いて説明する。図１８は、本システムの広告閲覧サーバの構成ブロック図である。
広告閲覧サーバ１は、図１８に示すように、ＣＰＵ（Central Processing Unit）等の制御部１１と、メインメモリ１２と、ハードディスク等の記憶部１３と、外部接続用のインタフェース１４とを基本的に備えている。
【００５０】
広告閲覧サーバ１は、記憶部１３に処理プログラム等が格納されており、当該処理プログラムを制御部１１が読み込んでメインメモリ１２にロードし、動作可能となるものである。当該プログラムによって実行される処理内容は後述する。
また、インタフェース１４は、ＤＢ２に接続すると共に、インターネットに接続するためのものとなっている。
尚、広告閲覧サーバ１の内部構成について図１８を用いて説明したが、広告主サーバ５、一次ユーザーＰＣ３、二次ユーザーＰＣ４も同じコンピュータであるので、図１８の構成とほぼ同じ構成を備えるものである。
【００５１】
［ＤＢ２のテーブル構成］
次に、ＤＢ２における各テーブルについて説明する。
ユーザーＤＢ２ａには、顧客基本情報テーブル（図２）、ユーザーポイントテーブル（図７）、ユーザーポイント履歴テーブル（図８）が格納されている。
【００５２】
閲覧関連ＤＢ２ｂには、当月ＵＲＬテーブル（図３）、翌月ＵＲＬテーブル（図４）、閲覧状況テーブル（図５）、当月閲覧履歴テーブル（図６）、郵便番号テーブル（図９）、一時当月閲覧履歴テーブル（図１０）、見飛ばしテーブル（図１５）、来場者統計テーブル（図１７）が格納されている。
【００５３】
広告主ＤＢ２ｃには、企業基本情報テーブル（図１１）、企業ポイントテーブル（図１２）、企業ポイント履歴テーブル（図１３）、企業契約ユーザーテーブル（図１４）、求人広告テーブル（図１６）が格納されている。
【００５４】
以下、各テーブルを詳細に説明する。
［顧客基本情報テーブル］
顧客基本情報テーブルについて図２を参照しながら説明する。図２は、顧客基本情報テーブルの概略図である。
顧客基本情報テーブルは、ユーザーの基本情報が格納されるもので、ユーザーＤＢ２ａにユーザー毎に設けられている。設定項目は、図２に示すように、「ユーザーＮｏ．」「パスワード」「生年月日」「性別」「結婚の有無」「職業」「郵便番号」「メールアドレス」「ＨＰ（ホームページ）の有無」「郵便番号」「登録日」「失効フラグ」となっている。
基本事項は、ユーザーの初期登録で設定され、失効フラグはユーザーとして失効した場合に設定されるものである。
【００５５】
［当月ＵＲＬテーブル］
当月ＵＲＬテーブルについて図３を参照しながら説明する。図３は、当月ＵＲＬテーブルの概略図である。当月ＵＲＬテーブルは、請求項におけるアクセス情報テーブルに相当している。
当月ＵＲＬテーブルは、当月閲覧するスポンサーに関する情報と対応するユーザーの情報が格納されるもので、閲覧関連ＤＢ２ｂにユーザー毎に設けられている。設定項目は、図３に示すように、「ユーザーＮｏ．」「グループ番号」「企業Ｎｏ．」「「閲覧区分」「ユーザーサイト名」「ユーザーＵＲＬ」「バナー貼付ＵＲＬ」「スポンサーサイト名」「スポンサーＵＲＬ」となっている。つまり、図３のテーブルがユーザー毎にユーザーＮｏ．の順に複数枚並べられているイメージである。
【００５６】
当月ＵＲＬテーブルは、月次更新されるもので、ユーザーとスポンサーとを関連付けるテーブルで、広告が閲覧される順に並べられている。
よって、本システムにおいて、広告を閲覧するユーザーは、当月ＵＲＬテーブルの配列順に従ってユーザーＵＲＬを介してスポンサーＵＲＬにアクセスして広告を閲覧し、特定時間以上閲覧した場合には、次に配列された当月ＵＲＬテーブルを参照して広告の閲覧を行うようになっている。
但し、閲覧は、自己のユーザーＮｏ．の次の順番のユーザーに対応するスポンサーの広告から開始し、巡回して最後は自己のユーザーに対応するスポンサーの広告で終了するものとしているので、各ユーザーによって開始と終了がそれぞれ異なるものとなっている。
【００５７】
［翌月ＵＲＬテーブル］
翌月ＵＲＬテーブルについて図４を参照しながら説明する。図４は、翌月ＵＲＬテーブルの概略図である。
翌月ＵＲＬテーブルは、翌月閲覧するスポンサーに関する情報と対応するユーザーの情報が格納されるもので、閲覧関連ＤＢ２ｂにユーザー毎に設けられている。設定項目は、図４に示すように、「ユーザーＮｏ．」「グループ番号」「企業Ｎｏ．」「「閲覧区分」「ユーザーサイト名」「ユーザーＵＲＬ」「バナー貼付ＵＲＬ」「スポンサーサイト名」「スポンサーＵＲＬ」となっている。
【００５８】
翌月ＵＲＬテーブルは、オンライン更新され、５日バッチ更新され、月次更新されるもので、予め翌月の広告閲覧の順番を決めておくものである。
尚、翌月ＵＲＬテーブルは、特定スポンサーの希望に合わせて、グループの組み替えを行うために用いられるものである。
【００５９】
［閲覧状況テーブル］
閲覧状況テーブルについて図５を参照しながら説明する。図５は、閲覧状況テーブルの概略図である。
閲覧状況テーブルは、ユーザーの閲覧完了に関する情報等が格納されるもので、閲覧関連ＤＢ２ｂにユーザー毎に設けられている。設定項目は、図５に示すように、「ユーザーＮｏ．」「閲覧完了年月」「閲覧ページ数（分母）」「閲覧完了ページ数（分子）」「月間来場者数」となっている。
「閲覧完了年月」は、当該ユーザーが閲覧完了した年月が記憶され、「閲覧ページ数（分母）」は、当該ユーザーが閲覧する予定のページ数が記憶され、「閲覧完了ページ数（分子）」は、当該ユーザーがこれまで閲覧完了したページ数が記憶され、「月間来場者数」は、当該ユーザーのサイトに月間来場した人数が記憶される。
閲覧状況テーブルは、オンライン更新又は月次更新されるものである。
【００６０】
［当月閲覧履歴テーブル］
当月閲覧履歴テーブルについて図６を参照しながら説明する。図６は、当月閲覧履歴テーブルの概略図である。
当月閲覧履歴テーブルは、ユーザーの当月の閲覧履歴に関する情報等が格納されるもので、閲覧関連ＤＢ２ｂにユーザー毎に設けられている。設定項目は、図６に示すように、「ユーザーＮｏ．」「閲覧日時」「閲覧ユーザーＮｏ．」となっている。
「閲覧日時」は、当該ユーザーが閲覧した日時が記憶され、「閲覧ユーザーＮｏ．」は、当該ユーザーが閲覧した時点でのスポンサーを担当するユーザーＮｏ．が記憶される。
当月閲覧履歴テーブルは、オンライン更新又は月次クリアされるものである。
【００６１】
［ユーザーポイントテーブル］
ユーザーポイントテーブルについて図７を参照しながら説明する。図７は、ユーザーポイントテーブルの概略図である。
ユーザーポイントテーブルは、ユーザーの現在の獲得ポイント、翌月の払い出しポイントの情報等が格納されるもので、ユーザーＤＢ２ａにユーザー毎に設けられている。設定項目は、図７に示すように、「ユーザーＮｏ．」「現在獲得ポイント」「翌月払出ポイント」となっている。
ポイントは、グループ内の他のユーザーが担当するスポンサーの広告を閲覧完了して得られるものであり、得られたポイントは、翌月金銭でユーザーに支払われるようになっている。
ユーザーポイントテーブルは、オンライン更新又は月次更新されるものである。
【００６２】
［ユーザーポイント履歴テーブル］
ユーザーポイント履歴テーブルについて図８を参照しながら説明する。図８は、ユーザーポイント履歴テーブルの概略図である。
ユーザーポイント履歴テーブルは、ユーザーのポイントの増減に関する情報等が格納されるもので、ユーザーＤＢ２ａにユーザー毎に設けられている。設定項目は、図８に示すように、「ユーザーＮｏ．」「増減Ｎｏ．」「増減日」「増減ポイント」「増減理由」となっている。
ユーザーポイント履歴テーブルは、オンライン更新又は月次更新されるものである。
【００６３】
［郵便番号テーブル］
郵便番号テーブルについて図９を参照しながら説明する。図９は、郵便番号テーブルの概略図である。
郵便番号テーブルは、郵便番号に対する地域に関する情報等が格納されるもので、閲覧関連ＤＢ２ｂに設けられている。設定項目は、図９に示すように、「郵便番号」「地方名」「都道府県名」「市区名」「町村名」となっている。
郵便番号テーブルは、ユーザー登録又は変更時参照されるものである。
【００６４】
［一時当月閲覧履歴テーブル］
一時当月閲覧履歴テーブルについて図１０を参照しながら説明する。図１０は、一時当月閲覧履歴テーブルの概略図である。
一時当月閲覧履歴テーブルは、ユーザーの当月の閲覧履歴に関する情報等が一時的に格納されるもので、閲覧関連ＤＢ２ｂにユーザー毎に設けられている。設定項目は、図６に示すように、「ユーザーＮｏ．」「閲覧日時」「閲覧ユーザーＮｏ．」となっている。
ここで、図６の当月閲覧履歴テーブルとの相違は、一時当月閲覧履歴テーブルがユーザーに対応するスポンサーの広告を閲覧する毎に更新されるものであるのに対して、当月閲覧履歴テーブルは、閲覧開始時に参照され、当日の閲覧終了時に一時当月閲覧履歴テーブルの内容で更新されるようになっている。
一時当月閲覧履歴テーブルは、オンライン逐次更新又は月次クリアされるものである。
【００６５】
［企業基本情報テーブル］
企業基本情報テーブルについて図１１を参照しながら説明する。図１１は、企業基本情報テーブルの概略図である。
企業基本情報テーブルは、スポンサー企業の基本情報が格納されるもので、広告主ＤＢ２ｃにスポンサー企業毎に設けられている。設定項目は、図１１に示すように、「企業Ｎｏ．」「パスワード」「企業名」「郵便番号」「所在地」「企業広告」「検索文字」「電話番号」「メールアドレス」「登録サイト名」「登録ＵＲＬ」「登録日」「最終ログイン日」となっている。
企業基本情報テーブルは、オンライン更新されるものである。
【００６６】
［企業ポイントテーブル］
企業ポイントテーブルについて図１２を参照しながら説明する。図１２は、企業ポイントテーブルの概略図である。
企業ポイントテーブルは、スポンサー企業のポイントに関する情報が格納されるもので、広告主ＤＢ２ｃにスポンサー企業毎に設けられている。設定項目は、図１２に示すように、「企業Ｎｏ．」「使用可能ポイント」「預りポイント１」「預りポイント有効期限」「預りポイント２」「預りポイント有効期限」となっている。尚、スポンサー企業は、２種類の預かりポイントを利用できるようになっている。
企業ポイントテーブルは、オンライン更新、５日罰更新又は月次更新されるものである。
【００６７】
［企業ポイント履歴テーブル］
企業ポイント履歴テーブルについて図１３を参照しながら説明する。図１３は、企業ポイント履歴テーブルの概略図である。
企業ポイント履歴テーブルは、スポンサー企業のポイント履歴に関する情報が格納されるもので、広告主ＤＢ２ｃにスポンサー企業毎に設けられている。設定項目は、図１３に示すように、「企業Ｎｏ．」「増減Ｎｏ．」「増減日」「増減ポイント」「増減理由」となっている。
企業ポイント履歴テーブルは、オンライン更新、５日バッチ更新又は月次更新されるものである。
【００６８】
［企業契約ユーザーテーブル］
企業契約ユーザーテーブルについて図１４を参照しながら説明する。図１４は、企業契約ユーザーテーブルの概略図である。
企業契約ユーザーテーブルは、スポンサー企業と当該企業を担当するユーザーとの契約関係の情報が格納されるもので、広告主ＤＢ２ｃにスポンサー企業毎に設けられている。設定項目は、図１４に示すように、「企業Ｎｏ．」「契約Ｎｏ．」「契約希望内容」「契約ユーザーＮｏ．」「契約日」「契約解除日」「契約解除理由」となっている。
企業契約ユーザーテーブルは、オンライン更新又は５日バッチ更新されるものである。
【００６９】
［見飛ばしテーブル］
見飛ばしテーブルについて図１５を参照しながら説明する。図１５は、見飛ばしテーブルの概略図である。
見飛ばしテーブルは、ユーザーが閲覧ユーザーに対応するスポンサーの広告を閲覧する作業中にその広告ページを見飛ばすことがあり、その見飛ばしたことを記憶しておくものであり、閲覧関連ＤＢ２ｂにユーザー毎に設けられるものである。設定項目は、図１５に示すように、「ユーザーＮｏ．」「閲覧ユーザーＮｏ．」「閲覧ユーザーＵＲＬ」「見飛ばし日時」となっている。
見飛ばしテーブルを用いた「見飛ばし」処理は、後述する通り、ユーザーのバナーの設置ミスによりスポンサーの広告ページが表示されないことがあり、その場合に「見飛ばし」により、次の閲覧に進めるようにするためである。
【００７０】
［求人広告テーブル］
求人広告テーブルについて図１６を参照しながら説明する。図１６は、求人広告テーブルの概略図である。
求人広告テーブルは、スポンサー企業の求人広告に関する情報が格納されるもので、広告主ＤＢ２ｃにスポンサー企業毎に設けられている。設定項目は、図１６に示すように、「企業Ｎｏ．」「求人Ｎｏ．」「仕事内容」「勤務形態」「募集人数」「労働時間」「勤務地」「給与」「その他」「掲載年月」となっている。
求人広告テーブルは、オンライン更新されるものである。
【００７１】
［来場者統計テーブル］
来場者統計テーブルについて図１７を参照しながら説明する。図１７は、来場者統計テーブルの概略図である。
来場者統計テーブルは、スポンサー企業の広告に来場した者の統計情報が格納されるもので、閲覧関連ＤＢ２ｂにユーザー毎に設けられている。設定項目は、図１７に示すように、「企業Ｎｏ．」「登録年月」「月間来場者数」、年齢を示す「１８歳未満」「２０歳代」「３０歳代」「４０歳代」「５０歳以上」、「既婚男性」「未婚男性」「既婚女性」「未婚女性」「会社員」「公務員」「自営業」「フリーター」「主婦」「学生」「無職」「地方１」〜「地方××」、「都道府県１」〜「都道府県××」、「市区町村１」〜「市区町村××××」となっている。
来場者統計テーブルは、月次更新されるものである。
尚、上記来場者統計テーブルは、スポンサー企業のマーケティングに利用されるものであるから、できるだけ細かく分類されている方が望ましい。よって、上記設定項目以外の要素が追加されたり、変更されることはある。
【００７２】
［各テーブルの運用］
次に、上記各テーブルと本システムにおける運用の関係について説明する。
［第１フェーズの場合］
まず、第１フェーズでは、一次ユーザーとスポンサー企業との関係が出来上がっているため、本システムでは、一次ユーザーの登録は行うものの、スポンサー企業が自主的に登録するものではないから、一次ユーザーは顧客基本情報テーブルに設定項目を設定することになるが、スポンサー企業は企業基本情報テーブルに設定されるものではない。
従って、一次ユーザーの担当スポンサー企業にはポイントが付与されることも、本システムに対して広告料が支払われることもない。
但し、一次ユーザーに関するスポンサーの情報として、月次ＵＲＬテーブル又は翌月ＵＲＬテーブルには「スポンサーサイト名」「スポンサーＵＲＬ」が設定される。
【００７３】
また、一次ユーザーは、本システムの会員に自己のサイトと広告主のサイトを閲覧してもらうためには、条件として１ヶ月に割り当てられた他のユーザーが担当するスポンサーの広告を全て閲覧する必要がある。その条件をクリアすれば、翌月ＵＲＬテーブルにユーザーとして「ユーザーＮｏ．」「企業Ｎｏ．」「ユーザーサイト名」「ユーザーＵＲＬ」「スポンサーサイト名」「スポンサーＵＲＬ」等が設定され、翌月より会員に自己のサイトと広告主のサイトが閲覧されるようになる。尚、一次ユーザーが担当する企業Ｎｏ．は、オール９が設定される。
【００７４】
［第２フェーズの場合］
第２フェーズでは、スポンサー企業が本システムの運用サイトに自主的に参加してもらい、登録してもらうことになる。従って、企業基本情報テーブルにスポンサー企業として設定される。
スポンサー企業の登録に対してそのスポンサーを担当する二次ユーザーを選択することになるが、スポンサーの要求により、特定の条件（性別、居住地域等）を満たすユーザーを運用主体が選択する。
当該選択に当たって、二次ユーザーの候補を募集し、閲覧料の支払は受けないが本システムに予備的に参加してもらって実績のある候補者から選択するようにすれば、閲覧に熱心な二次ユーザーを選択できる効果がある。
スポンサー企業に対して二次ユーザーが選択されれば、企業契約ユーザーテーブルに契約関係が登録される。
【００７５】
また、登録スポンサー企業は、ユーザーに閲覧されることで、本システムに登録されたユーザーサイトを介して来場者が増えることになるので、広告閲覧サーバ１では、スポンサーに対する来場者の情報を取得して、来場者統計テーブルに登録し、統計内容を運用主体がスポンサー企業にレポートとして提供する。
これにより、スポンサー企業は、統計内容をマーケティングに利用することが可能である。
【００７６】
また、登録スポンサー企業の広告料は、例えば、月額５０００円以内の出来高制とし、訪問者の人数×１０円の月額費用とし、最大５０００円を超えないように低料金に設定することができる。
尚、これら金額は、実際にはポイントでやり取り為されるようになっている。
【００７７】
ユーザー数が増えれば、様々なグループ分けが可能となり、登録スポンサー企業の要求により、閲覧するユーザーの対象を絞り込んだグループを形成することができる。例えば、３０歳代の主婦を対象としたグループも月単位で編成可能である。
これにより、複数の登録スポンサー企業からの閲覧対象のターゲット要求を受けて、それら要求に対して広告閲覧サーバ１でユーザーのグループ分けを行い、翌月ＵＲＬテーブルに設定する。本実施例では、月単位にグループ編成を行うものであるが、それより短くすることも長くすることも可能である。
場合によっては、登録スポンサー企業の要求により、グループ編成の期間も任意に調整するようにしてもよい。
【００７８】
［第３フェーズの場合］
第３フェーズの場合は、スポンサー及びユーザーが増えて、グループを、郵便番号を基に分けられる程となった場合に、地域に根付いた広告を実現するもので、ユーザーの郵便番号（地域）に対応した広告を出したいスポンサーとの組み合わせになる。
しかしながら、完全に地域密着とはならないことも想定して、グループ内で、地域密着の広告を出したいスポンサーと地域を問わない広告を出したいスポンサーとを混合するようにしてもよい。
【００７９】
［広告閲覧の態様］
まず、ホームページを運営する一次ユーザーのホームページには、図１９に示すように「スポンサーバナー」の下に「ＲＯＲＰバナー」（運営主体のバナー）を貼ってもらうようにする。図１９は、一次ユーザーのホームページの概要を示す概略図である。
そして、ＲＯＲＰバナーのリンク先は、ＲＯＲＰサーバ内のメインページとなっている。ＲＯＲＰサーバは、本システムの運営主体のサーバであり、図１における広告閲覧サーバ１のことである。
【００８０】
そして、図１９における「ＲＯＲＰバナー」をクリックすると、ＲＯＲＰサーバのメインページに移行し、続いてユーザーログイン画面に移行する。ユーザーログイン画面は、ユーザーＮｏ．、パスワード、郵便番号を入力してユーザー認証を行う画面である。特に、ユーザーＮｏ．と対応付けられたパスワード及び郵便番号の両方によってユーザー認証が為されるようになっている。
ここで、ユーザーが転居して新しい郵便番号を入力した場合に、顧客基本情報テーブルの郵便番号を訂正するようＲＯＲＰサーバはユーザーに促すようになっている。これによりＲＯＲＰサーバは、ユーザーの最新の郵便番号を取得でき、地域広告の閲覧表示にそれを利用できる。
【００８１】
ユーザーが認証されると、図２０に示す画面に切り替わる。図２０は、広告閲覧サーバを利用して閲覧作業を行う場合の画面の概略図である。
図２０に示すように、ＲＯＲＰサーバのフレーム内に一次ユーザーのホームページが掲載される形態となる。
特徴として、フレームの特定箇所（図２０では上部）に「閲覧開始」、「見飛ばす」、それに「閲覧終了」のボタンが用意されており、図２０の状態で、「閲覧開始」をクリックすると、その閲覧者のログイン状態をチェックしてログイン中の利用者であれば、閲覧対象のユーザー（閲覧ユーザー）のサイトページ（ユーザーホームページ）が表示される。
そして、サイトページの「ＲＯＲＰバナー」をクリックすると、閲覧ユーザーに対応するスポンサーのサイトに転送してユーザーホームページがあった箇所にスポンサーの広告ページが表示される。
【００８２】
スポンサー広告が表示された状態が図２１に示すようになる。図２１は、広告閲覧サーバを利用して広告を表示した場合の画面の概略図である。
図２０の画面表示から、一定時間（例えば３０秒）は「閲覧開始」のボタンをクリックできないよう制限されているが、その特定時間を経過すると、「閲覧開始」のボタンが動作可能となる。通常、図２０における「ＰＯＲＰバナー」のクリックにより図２１のスポンサー広告が表示され、上記時間が経過して、更に、「閲覧開始」のボタンをクリックすると、当月ＵＲＬテーブルを広告閲覧サーバ１が参照して、次の順番となるユーザーのホームページをフレーム内に表示し、以上と同様に、「ＲＯＲＰバナー」のクリックを行って、当該ユーザーが担当するスポンサーの広告をフレーム内に表示するものである。
尚、図２０の表示画面で「ＰＯＲＰバナー」をクリックしないで上記時間が経過した場合に、「閲覧開始」のボタンがクリックされても、スポンサー広告を表示しないで、これまでの図２０の表示画面を表示する。
【００８３】
尚、ユーザーが閲覧動作を停止したい場合は、フレームにおける「閲覧終了」ボタンをクリックする。すると、閲覧者のユーザーＮｏ．に対応する当月閲覧履歴テーブルに「閲覧年月」「閲覧日」「閲覧ユーザーＮｏ．」に情報を書き込んで終了する。
ここで、閲覧ユーザーＮｏ．とは、閲覧していた広告のスポンサーを担当するユーザーＮｏ．ということになる。従って、再開するときは、閲覧者のユーザーＮｏ．に対応する当月閲覧履歴テーブルを参照して、閲覧ユーザーＮｏ．を読み取れば、前回までに閲覧した広告は特定できるので、その次の順番から閲覧を開始するようにすれば、重複してスポンサーの広告を閲覧することはない。
【００８４】
また、ＲＯＲＰバナーの使い道について図２２を参照しながら説明する。図２２は、ＲＯＲＰバナーの利用方法を示す説明図である。
図２２に示すように、ＲＯＲＰバナーをＲＯＲＰメインとＲＯＲＰサブに分割し、ＲＯＲＰメインはＲＯＲＰサーバのメインページにリンクするものであるが、ＲＯＲＰサブ部分については、バナー１を運営主体の広告用とし、バナー２，３を別のスポンサーに販売するものである。ＲＯＲＰサブのバナー２，３をユーザーがクリックすることでそのスポンサーのサイトに転送するようにしている。
【００８５】
具体的には、図２２のＲＯＲＰバナーにおいて、ｒｏｒｐ．ｎｅｔ部分は、閲覧作業用領域となり、バナー１の領域はｒｏｒｐ．ｎｅｔ（運営主体）の宣伝領域となり、バナー２，３の領域は販売用領域となる。
ここで、バナー２，３の領域を購入した企業のバナーが表示される仕組みと、そのバナーをクリックした際に、その企業のホームページが開かれる仕組みを以下説明する。
【００８６】
まず、ユーザーに上記バナータグをユーザーホームページに貼ってもらう時には、どの企業がバナー領域を購入するのか分からないものとなっている。
そこで、全てのバナーは、ｒｏｒｐサーバへバナーの画像ファイルを取得しに来るように、バナーのタグをユーザーに貼ってもらう。具体的には、ｒｏｒｐサーバからＨＴＭＬのプログラムをメールにて配信し、それをコピー＆ペーストでユーザーのホームページに追加してもらう。
【００８７】
また、バナーをクリックした時に表示する企業のホームページについてもｒｏｒｐサーバに取得しに来るように、バナーのタグをユーザーに貼ってもらう。
例えば、バナーのリンク先を http://rorp.net/banner1.gif とし、クリックした時に表示するホームページのリンク先を http://rorp.net/sponser1.html とする。
【００８８】
ｒｏｒｐサーバでは、企業のバナーの購入情報（企業基本情報、企業バナー情報、入札状況）をデータベースにて管理し、企業が購入した時期になると、データベースからｒｏｒｐサーバの設定ファイルに転送情報を自動的に書き込む。
例えば、以下のような書き替えになる。
http://rorp.net/banner1.gif → http://スポンサードメイン/banner1.gif
http://rorp.net/sponser1.html → http://スポンサードメイン/sponser1.html
【００８９】
ｒｏｒｐサーバの設定ファイルにて転送情報を書き込むと、ユーザーページを表示した際にバナーの画像ファイルをｒｏｒｐサーバに取得に来るが、設定ファイルの書き替えによってスポンサーのサーバの画像ファイルに転送されるため、契約したスポンサーのバナーが表示されることになる。
【００９０】
また、そのバナーをクリックした際も同様に、ｒｏｒｐサーバにホームページを取得しに来るが、設定ファイルの書き替えによってスポンサーのホームページに転送されるため、契約したスポンサーのホームページが表示されることになる。
【００９１】
ｒｏｒｐ．ｎｅｔのサービスに登録するユーザーサイトでは、１ヶ月当たりの来場者数が他の超大手サイトには遠く及ばず、宣伝効果としては薄いものである。
しかし、ｒｏｒｐ．ｎｅｔに登録するユーザーサイトを１万サイト毎にまとめれば超大手サイトと同等数の閲覧者（スポンサーサイトの閲覧者ではなく、ユーザーサイトの閲覧者）にバナー広告を配信することができる。
【００９２】
［広告閲覧処理］
次に、図１９〜図２１を参照しながら広告閲覧処理について図２３を用いて説明する。図２３は、広告閲覧処理のフローチャートである。
広告閲覧サーバ１の制御部１１は、記憶部１３から広告閲覧処理のプログラムを読み込んでメインメモリ１２に展開し、動作可能とする。
【００９３】
ユーザーからＲＯＲＰサーバにアクセスがあると、制御部１１は、ユーザーログイン処理を実行し（Ｓ１）、適正にログインされたものであれば、更に、閲覧関連ＤＢ２ｂ内の当月ＵＲＬテーブルを参照してログインユーザーのユーザーＵＲＬにアクセスし、ユーザーのサイトを表示する。その表示画面は、図２０に示すようなものとなる。
【００９４】
そして、図２０の表示画面において、「閲覧開始」ボタンのクリックあるか否か判定され（Ｓ２）、「閲覧開始」ボタンのクリックがあれば（Ｙｅｓの場合）、閲覧関連ＤＢ２ｂ内の一時当月閲覧履歴テーブルを参照し、アクセス情報（ユーザーＮｏ．、閲覧日時、閲覧ユーザーＮｏ．）があるか否かを判定する（Ｓ３）。アクセス情報があれば（Ｙｅｓの場合）、一時当月閲覧履歴テーブルの内容に基づいて当月閲覧履歴テーブルの内容（アクセス情報）を更新する（Ｓ４）。
【００９５】
続いて、当月閲覧履歴テーブルを参照し、前回閲覧したユーザーのユーザーＮｏ．に対応する閲覧ユーザーＮｏ．を取得する（Ｓ５）。
また、判定処理Ｓ３で、アクセス情報がない場合（Ｎｏの場合）も、上記処理Ｓ５に移行する。
【００９６】
尚、当月、ユーザーが閲覧を全くしていなければ、一時当月閲覧履歴テーブル及び当月閲覧履歴テーブルに閲覧ユーザーＮｏ．が記憶されていないため、その場合は、当月閲覧履歴テーブルから閲覧ユーザーＮｏ．の代わりにアクセスしているユーザーのユーザーＮｏ．を取得する。
【００９７】
次に、制御部１１は、閲覧関連ＤＢ２ｂ内の当月ＵＲＬテーブルを参照し、閲覧ユーザーＮｏ．の次に閲覧すべき閲覧ユーザーＮｏ．が、つまり、次の順（例えば、番号が次に大きい）のユーザーＮｏ．があるか否かの判定を行う（Ｓ６）。
次に閲覧すべき閲覧ユーザーＮｏ．（次の順のユーザーＮｏ．）があれば（Ｙｅｓの場合）、次に閲覧すべき閲覧ユーザーＮｏ．に対応するユーザーＵＲＬにアクセスし、ユーザーサイトを表示する（Ｓ７）。
【００９８】
また、判定処理Ｓ２で、「閲覧開始」ボタンのクリックがない場合（Ｎｏの場合）、次に、「閲覧終了」ボタンのクリックがあるか否かを判定し（Ｓ８）、クリックがなければ（Ｎｏの場合）、処理を終了する。
ここで、「閲覧終了」ボタンは、閲覧を完了する意味ではなく、閲覧を中断するためのものであるから、当月閲覧履歴テーブルは更新されるものの、閲覧完了に関する閲覧状況テーブルは更新されない。
【００９９】
次に、「閲覧終了」ボタンのクリックがあれば（Ｙｅｓの場合）、一時当月閲覧履歴テーブルにアクセス情報があるか否かを判定し（Ｓ９）、アクセス情報があれば（Ｙｅｓの場合）、一時当月閲覧履歴テーブルの内容に基づいて当月閲覧履歴テーブルの内容（アクセス情報）を更新する（Ｓ１０）。
【０１００】
その後、閲覧完了を表示して（Ｓ１２）、処理を終了する。
判定処理Ｓ９でアクセス情報がなければ（Ｎｏの場合）も処理Ｓ１２に移行して処理を終了する。
尚、処理Ｓ９及び処理Ｓ１０から続く処理Ｓ１２は、本来の閲覧完了の意味ではなく、閲覧中断の意味となる。但し、処理Ｓ１１から続く処理Ｓ１２は、閲覧完了の意味となる。
【０１０１】
また、処理Ｓ６において、当月ＵＲＬテーブルを参照して次に閲覧すべき閲覧ユーザーＮｏ．がない（Ｎｏの場合）は、翌月ＵＲＬテーブルの閲覧区分を更新して（Ｓ１１）、閲覧完了を表示し（Ｓ１２）、処理を終了する。
【０１０２】
処理Ｓ７に続いて、「見飛ばす」ボタンのクリックがあるか否かを判定し（Ｓ１３）、クリックがなければ（Ｎｏの場合）、続いて、制御部１１は、内蔵するタイマーを監視し、一定時間経過したか否かを判定し（Ｓ１４）、一定時間経過していない場合（Ｎｏの場合）、ＲＯＲＰバナーへのクリックがあるか否か判定される（Ｓ１５）。
【０１０３】
ＲＯＲＰバナーへのクリックがあれば（Ｙｅｓの場合）、一時当月閲覧履歴テーブルにアクセス情報を保管し（Ｓ１６）、処理Ｓ７で表示したユーザーサイトのユーザーに対応するスポンサーＵＲＬにアクセスし、スポンサーの広告ページを表示する（Ｓ１７）。
【０１０４】
続いて、判定処理Ｓ１４に戻り、一定時間を経過すると（Ｙｅｓの場合）、処理Ｓ２に戻る。尚、判定処理Ｓ１５でＲＯＲＰバナーへのクリックがない場合にも、判定処理Ｓ１４に戻る。
【０１０５】
また、判定処理Ｓ１３で、「見飛ばす」ボタンのクリックがあれば（Ｙｅｓの場合）、見飛ばすテーブルに見飛ばし情報（ユーザーＮｏ．、閲覧ユーザーＮｏ．、閲覧ユーザーＵＲＬ、見飛ばし日時）を保管し（Ｓ１８）、更に、閲覧続行を行うために、一時当月閲覧履歴テーブルにアクセス情報（見飛ばした閲覧ユーザーの情報を含む）を保管して（Ｓ１９）、判定処理Ｓ２に戻る。
【０１０６】
尚「見飛ばす」ボタンのクリックがあった場合に、表示画面に「見飛ばす」か否かの確認画面を表示させ、その上で「見飛ばす」を選択した場合に、図１５の見飛ばしテーブルに履歴を記憶するようにしてもよい。
見飛ばしテーブルを参照すれば、ユーザーがどの閲覧ユーザーのサイトに対応するスポンサー広告をいつ見飛ばしたかを認識できる。
【０１０７】
「見飛ばし」ボタンを設けたのは、ユーザーのＲＯＲＰバナーの設置ミスによりスポンサーの広告ページが表示されないことがあり、その場合に「見飛ばし」を行わなければ、次の閲覧に進めないからである。
上記のようにＲＯＲＰバナーの設置ミスなのか、ユーザーの不正な見飛ばしであるのかは、見飛ばしテーブルを参照することで、多くのユーザーが閲覧ユーザーのサイトのＵＲＬで見飛ばしを行っていれば、バナーの設置ミスと認定できる。
以上のように広告閲覧処理が為される。
【０１０８】
次に、広告配信処理について図２４を参照しながら説明する。図２４は、広告配信処理のフローチャートである。
広告の配信を受けるユーザー（ユーザーホームページ来場者）がユーザーＰＣからインターネットにアクセスし、閲覧対象のユーザーホームページを取得すると（Ｓ２１）、閲覧対象のユーザーホームページがユーザーＰＣに表示される。
【０１０９】
来場者のＰＣからＲＯＲＰサーバへバナー（スポンサーバナー）の取得要求がある（Ｓ２２）と、ＲＯＲＰサーバは、取得要求されたバナーの転送先ＵＲＬ（スポンサーバナーＵＲＬ）を来場者のＰＣに返信する（Ｓ２３）。
【０１１０】
すると、転送先のＵＲＬに存在するスポンサーバナーを来場者のＰＣが取得し（Ｓ２４）、来場者のＰＣの画面に表示されたユーザーホームページ内にスポンサーバナーを表示させる（Ｓ２５）。
【０１１１】
次に、来場者のＰＣに表示されたユーザーホームページ内にスポンサーバナーを来場者がクリックしたか否か判定し（Ｓ２６）、クリックしていなければ（Ｎｏの場合）、処理を終了する。
クリックしたならば（Ｙｅｓの場合）、ＲＯＲＰサーバへクリック先のＵＲＬに書かれたホームページの取得要求を行う（Ｓ２７）。
【０１１２】
ＲＯＲＰサーバは、取得要求されたホームページの転送先ＵＲＬ（スポンサーホームページのＵＲＬ）を来場者のＰＣに返信する（Ｓ２８）。
転送先のＵＲＬに存在するスポンサーホームページを来場者のＰＣが取得し（Ｓ２９）、来場者のＰＣの画面に表示されたスポンサーホームページを表示して（Ｓ３０）、処理を終了する。
このようにして、広告配信処理が為される。
【０１１３】
本システムによれば、他のユーザーが担当するスポンサーの広告を広告閲覧サーバ１のサイトで順次簡易に閲覧できるようにしているので、他のユーザーのスポンサー広告を閲覧する見返りとして自己の担当するスポンサー広告も閲覧されて、スポンサーから広告料を得ることができる効果がある。
【０１１４】
また、本システムによれば、登録スポンサー企業からの要求に対して、閲覧者のグループ編成を特定期間単位で行い、スポンサー企業に統計情報を提供できるので、スポンサー企業をその情報をマーケティングに活用できる効果がある。
【産業上の利用可能性】
【０１１５】
本発明は、ユーザーには担当するスポンサーからのクリック補償として広告料を得ることができると共に、スポンサーに対しては希望する広告の対象者層からの閲覧を集中して受け、希望対象者に広告商品を広く知ってもらうことができるインターネット広告閲覧システムに好適である。
【図面の簡単な説明】
【０１１６】
【図１】本発明の一実施の形態に係るインターネット広告閲覧システムの構成ブロック図である。
【図２】顧客基本情報テーブルの概略図である。
【図３】当月ＵＲＬテーブルの概略図である。
【図４】翌月ＵＲＬテーブルの概略図である。
【図５】閲覧状況テーブルの概略図である。
【図６】当月閲覧履歴テーブルの概略図である。
【図７】ユーザーポイントテーブルの概略図である。
【図８】ユーザーポイント履歴テーブルの概略図である。
【図９】郵便番号テーブルの概略図である。
【図１０】一時当月閲覧履歴テーブルの概略図である。
【図１１】企業基本情報テーブルの概略図である。
【図１２】企業ポイントテーブルの概略図である。
【図１３】企業ポイント履歴テーブルの概略図である。
【図１４】企業契約ユーザーテーブルの概略図である。
【図１５】見飛ばしテーブルの概略図である。
【図１６】求人広告テーブルの概略図である。
【図１７】来場者統計テーブルの概略図である。
【図１８】本システムの広告閲覧サーバの構成ブロック図である。
【図１９】一次ユーザーのホームページの概要を示す概略図である。
【図２０】広告閲覧サーバを利用して閲覧作業を行う場合の画面の概略図である。
【図２１】広告閲覧サーバを利用して広告を表示した場合の画面の概略図である。
【図２２】ＲＯＲＰバナーの利用方法を示す説明図である。
【図２３】広告閲覧処理のフローチャートである。
【図２４】広告配信処理のフローチャートである。
【符号の説明】
【０１１７】
１…広告閲覧サーバ、  ２…データベース、  ２ａ…ユーザーＤＢ、  ２ｂ…閲覧関連ＤＢ、  ２ｃ…広告主ＤＢ、  ３…一次ユーザーＰＣ、  ４…二次ユーザーＰＣ、  １１…制御部、  １２…メインメモリ、  １３…記憶部、  １４…インタフェース
【図１】
2006202189.tif 000003
【図２】
2006202189.tif 000004
【図３】
2006202189.tif 000005
【図４】
2006202189.tif 000006
【図５】
2006202189.tif 000007
【図６】
2006202189.tif 000008
【図７】
2006202189.tif 000009
【図８】
2006202189.tif 000010
【図９】
2006202189.tif 000011
【図１０】
2006202189.tif 000012
【図１１】
2006202189.tif 000013
【図１２】
2006202189.tif 000014
【図１３】
2006202189.tif 000015
【図１４】
2006202189.tif 000016
【図１５】
2006202189.tif 000017
【図１６】
2006202189.tif 000018
【図１７】
2006202189.tif 000019
【図１８】
2006202189.tif 000020
【図１９】
2006202189.tif 000021
【図２０】
2006202189.tif 000022
【図２１】
2006202189.tif 000023
【図２２】
2006202189.tif 000024
【図２３】
2006202189.tif 000025
【図２４】
2006202189.tif 000026